(57)【要約】【課題】照明の光の照射範囲や照射方向を変えたり、室内に入射する昼光の方向を変更したりすることの可能なブラインド及びバランス装置を提供する。【解決手段】ブラインド１００は、スラット１１０を吊り下げ支持するヘッドボックス１２０と、ヘッドボックス１２０の少なくとも前面を覆い隠すバランス１３０と、ヘッドボックス１２０又はスラット１１０とバランス１３０との間に配置され、光を反射又は拡散可能な調光部材と、を備え、調光部材はバランス１３０に対する傾斜角度を調整可能であることを特徴とする。かかる構成によれば、照明の光の照射範囲や照射方向を変えたり、室内に入射する昼光の方向を変更したりすることの可能なブラインド及びバランス装置が提供される。【選択図】図２
2020128682.tif 000002
【特許請求の範囲】
【請求項１】
遮蔽材を吊り下げ支持する支持部材と、
前記支持部材の少なくとも前面を覆い隠すバランスと、
前記支持部材又は前記遮蔽材と前記バランスとの間に配置され、光を反射又は拡散可能な調光部材と、
を備え
前記調光部材は前記バランスに対する傾斜角度を調整可能であることを特徴とするブラインド。
【請求項２】
前記調光部材の傾斜角度を調整するための角度調整部をさらに備えていることを特徴とする、請求項１に記載のブラインド。
【請求項３】
前記調光部材は前記角度調整部に連結されており、前記調光部材の傾斜角度は前記角度調整部の回動に連動することを特徴とする、請求項２に記載のブラインド。
【請求項４】
前記角度調整部を操作するための操作部をさらに設けたことを特徴とする、請求項１〜３のいずれかに記載のブラインド。
【請求項５】
前記調光部材で反射又は拡散可能な光を照射する照明部材をさらに備えたことを特徴とする、請求項１〜４のいずれかに記載のブラインド。
【請求項６】
遮蔽材の上部を装飾するバランス装置であって、
光を反射又は拡散可能な調光部材と、
前記調光部材の傾斜角度を調整可能するための角度調整部と、
を備えたことを特徴とする、バランス装置。
【発明の詳細な説明】
【技術分野】
【０００１】
本発明は、ブラインド及びバランス装置に関する。
【背景技術】
【０００２】
従来のブラインドとしては、実開昭６２−１９３６２１号公報（特許文献１）に示されるものがある。同文献には、窓枠の上方に蛍光灯が取付けられ、蛍光灯の前面にブラインドを取付けるようにしたことが開示されている。
【０００３】
これによれば、ブラインドの遮蔽機能を損なうことなく、蛍光灯の光をスラット表面で反射させることで室内に蛍光灯の光を間接的に入れ、夜間に室内外を、目的に応じて間接的な照明にできるという効果を有する。
【先行技術文献】
【特許文献】
【０００４】
【特許文献１】実開昭６２−１９３６２１号公報
【発明の概要】
【発明が解決しようとする課題】
【０００５】
しかしながら、特許文献１に開示されるような従来のブラインドでは、照明（蛍光灯）の光は、スラットの表面で反射されて室内又は室外に向くようにすることができるが、照明の光の照射範囲や照射方向を変えたり、室内に入射する昼光の方向を変更したりすることができないという問題があった。
【０００６】
そこで本発明は、このような問題に鑑みてなされたもので、その目的とするところは、照明の光の照射範囲や照射方向を変えたり、室内に入射する昼光の方向を変更したりすることの可能なブラインド及びバランス装置を提供することにある。
【課題を解決するための手段】
【０００７】
上記課題を解決するために、本発明の第１の観点によれば、遮蔽材を吊り下げ支持する支持部材と、前記支持部材の少なくとも前面を覆い隠すバランスと、前記支持部材又は前記遮蔽材と前記バランスとの間に配置され、光を反射又は拡散可能な調光部材と、を備え、前記調光部材は前記バランスに対する傾斜角度を調整可能であることを特徴とするブラインドが提供される。
【０００８】
かかる構成によれば、光を反射又は拡散可能な調光部材の傾斜角度を調整することにより照明の光の照射範囲や照射方向を変えたり、室内に入射する昼光の方向を変更したりすることができる。
【０００９】
本発明は様々な応用が可能である。以下の応用例は適宜組み合わせることが可能である。
例えば、前記調光部材の傾斜角度を調整するための角度調整部をさらに備えているようにしてもよい。かかる構成によれば、角度調整部をさらに備えたことで、調光部材の傾斜角度を角度調整部を介して容易に調整することができる。
【００１０】
また、前記調光部材は前記角度調整部に連結されており、前記調光部材の傾斜角度は前記角度調整部の回動に連動するようにしてもよい。かかる構成によれば、調光部材が連結された角度調整部を回動することで、調光部材の傾斜角度を直感的に調整することができる。
【００１１】
また、前記角度調整部を操作するための操作部をさらに設けるようにしてもよい。かかる構成によれば、操作部を設けることで、操作しにくい位置に角度調整部を設けても、操作部を介して角度調整部を容易に操作することができる。
【００１２】
また、前記調光部材で反射又は拡散可能な光を照射する照明部材をさらに備えるようにしてもよい。かかる構成によれば、照明部材を、照明部材の光が調光部材で反射又は拡散可能な位置に配置させることで、照明部材の光を調光部材を介して室内を照らす位置や範囲を変更することができる。
【００１３】
上記課題を解決するために、本発明の第２の観点によれば、遮蔽材の上部を装飾するバランス装置であって、光を反射又は拡散可能な調光部材と、前記調光部材の傾斜角度を調整可能するための角度調整部と、を備えたことを特徴とする、バランス装置が提供される。
【００１４】
かかる構成によれば、光を反射又は拡散可能な調光部材の傾斜角度を調整可能な角度調整部を備えることで、角度調整部を調整することにより照明の光の照射範囲や照射方向を変えたり、室内に入射する昼光の方向を変更したりすることができる。本発明の第２の観点においても、上記本発明の第１の観点と同様の応用が可能である。
【発明の効果】
【００１５】
本発明によれば、照明の光の照射範囲や照射方向を変えたり、室内に入射する昼光の方向を変更したりすることが可能である。本発明のその他の効果については、後述する発明を実施するための形態においても説明する。
【図面の簡単な説明】
【００１６】
【図１】第１の実施形態に係るブラインド１００の全体構成を示す正面図である。
【図２】図１のＡ−Ａ断面図である。
【図３】図１のＢ−Ｂ断面図である。
【図４】第２の実施形態に係るブラインド２００を説明するための図である。
【図５】第３の実施形態に係るブラインド３００を説明するための図である。
【図６】第４の実施形態に係るブラインド４００を説明するための図である。
【図７】第５の実施形態に係るブラインド５００を説明するための図である。
【図８】第６の実施形態に係るブラインド６００を説明するための図である。
【図９】第７の実施形態に係るブラインド７００を説明するための図である。
【発明を実施するための形態】
【００１７】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１８】
（第１の実施形態）
第１の実施形態に係るブラインド１００の全体構成について、図１〜図３を参照しながら説明する。図１は、本実施形態に係るブラインド１００の全体構成を示す図である。図２は、図１のＡ−Ａ断面図である。図３は、図１のＢ−Ｂ断面図である。
【００１９】
本実施形態のブラインド１００は、図１に示したように、スラット（遮蔽材）１１０を吊り下げ支持するヘッドボックス（支持部材）１２０と、ヘッドボックス１２０の少なくとも前面を覆い隠すバランス１３０と、ヘッドボックス１２０とバランス１３０との間に配置され、光を反射又は拡散可能な調光部材としての板状部材１４０と、板状部材１４０の傾斜角度を調整可能な角度調整部１５０と、を備えたことを特徴とする。以下、各構成要素について詳細に説明する。
【００２０】
（スラット１１０）
スラット１１０は、開口部を遮蔽したり開放したりする遮蔽材である。複数のスラット１１０は、図１に示したように、ラダーコード１１２によって整列状態に支持されており、ラダーコード１１２が傾動することによって回転する。スラット１１０の下方にはボトムレール１１４が配置されている。ボトムレール１１４には、ラダーコード１１２の下端が連結されている。また、ボトムレール１１４には、スラット１１０を昇降するための昇降コード１１６の下端が連結されている。昇降コード１１６が昇降することによりボトムレール１１４が昇降し、ボトムレール１１４によってスラット１１０が順次昇降する。
【００２１】
（ヘッドボックス１２０）
ヘッドボックス１２０は、スラット１１０を吊り下げ支持する支持部材である。ヘッドボックス１２０は、図２に示したように、窓枠（壁などでもよい）ＷＦにブラケット１２２を介して固定される。ヘッドボックス１２０内には、図１に示したように、長手方向ほぼ全長にわたって回転軸１２４が回転可能に配設されている。回転軸１２４は、一体に回転するように３つの巻取ドラム１２６に挿通している。３つの巻取ドラム１２６は等間隔に配置されている。巻取ドラム１２６には、ラダーコード１１２及び昇降コード１１６の上端が巻取り及び巻解き可能に連結されている。
【００２２】
ヘッドボックス１２０の一端には、操作ユニット１２８が設けられている。操作ユニット１２８は、スラット１１０の開閉及び昇降を操作するものである。操作ユニット１２８には、回転軸１２４の一端が連結されている。操作ユニット１２８は、操作コード１２９を備えており、操作コード１２９を操作することによって回転軸１２４を回転駆動可能である。
【００２３】
（バランス１３０）
バランス１３０は、ヘッドボックス１２０の少なくとも前面を覆い隠すものである。バランス１３０は、図１に示したように、コ字状に構成されており、ヘッドボックス１２０の前面及び両側面を覆う。バランス１３０は、図２に示したように、バランスブラケット１３２を介して窓枠ＷＦに固定されている。バランス１３０の前部には、角度調整部１５０が配置される開口部１３４が形成されている。開口部１３４の両側部には、図３に示したように、角度調整部１５０を回転可能に支持する凹部状の支持部１３６が形成されている。角度調整部１５０の一部はバランス１３０の前部から前方に突出しており、外部から操作可能となっている。
【００２４】
バランス１３０には、図１に示したように、照明部材１６０が更に設けられている。照明部材１６０は、板状部材１４０の長手方向ほぼ全長にわたっている。照明部材１６０は、照明部材１６０からの光が板状部材１４０で反射又は拡散可能な位置に配置されている。すなわち、照明部材１６０は、図２に示したように、バランス１３０のヘッドボックス１２０又はスラット１１０と対向する面において、板状部材１４０の下方に取り付けられており、スラット１１０を照らす。照明部材１６０は、例えば、ＬＥＤライトや蛍光灯などで構成することができる。
【００２５】
照明部材１６０をフルカラーＬＥＤにすると、曇天時などで朝に太陽光が望めない状況のときや就寝時に、目覚めや就寝に適した色の照明をユーザーに当てることで快適な睡眠を提供することができる。また、タイマーや天気予報と連動して、光の色、強さ、照射方向などを制御してもよい。さらに、体調に合わせて照明の色を変えることもできる。
【００２６】
（板状部材１４０）
板状部材１４０は、調光するために光を反射又は拡散可能な部材により構成され、本実施形態では光を反射可能な部材とされる。板状部材１４０は、長尺状の薄板で構成されており、例えば、スラット１１０を流用して構成してもよく、樹脂や金属などの別の部材で構成してもよい。板状部材１４０は、図１に示したように、バランス１３０の前部に幅方向の全長にわたって設けられている。
【００２７】
板状部材１４０は、図２に示したように、角度調整部１５０に連結されており、角度調整部１５０が動かされることで角度調整部１５０と一体に回転し、傾斜角度を変更可能である。板状部材１４０の両端は、図３に示したように、長手方向に突出する突部１４２が形成されている。突部１４２は、一体に回転するように角度調整部１５０に形成された後述する嵌合凹部１５２に嵌合される。板状部材１４０は、揺動することにより照明部材１６０とスラット１１０との間に角度を変えて配置されるため、反射又は拡散の状態を変更することができる。
【００２８】
（角度調整部１５０）
角度調整部１５０は、板状部材１４０の傾斜角度を調整可能なものである。角度調整部１５０は、図１に示したように、円筒形であり、外周面に円周方向に連続した凹凸が形成されている。角度調整部１５０には、図３に示したように、板状部材１４０の突部１４２が一体に揺動するように嵌合される嵌合凹部１５２が形成されている。角度調整部１５０の回転中心には、バランス１３０の支持部１３６に回転可能に支持される支持軸１５４が突出している。
【００２９】
以上、ブラインド１００の全体構成について説明した。以下、ブラインド１００の動作について、再び図２を参照しながら説明する。
【００３０】
角度調整部１５０を操作して回転させると、図中の矢印Ａに示したように、角度調整部１５０と一体に板状部材１４０が揺動する。照明部材１６０からの光は、図中の矢印Ｂに示したように、板状部材１４０に反射して下向きに照射される。板状部材１４０が揺動する角度によって反射する光の向きが変更される。
【００３１】
（第１の実施形態の効果）
以上説明したように、本実施形態によれば、光を反射可能な板状部材１４０の傾斜角度を調整することにより照明の光の照射範囲や照射方向を変えたり、室内に入射する昼光の方向を変更したりすることができる。
【００３２】
また、角度調整部１５０をさらに備えたことで、板状部材１４０の傾斜角度を角度調整部１５０を介して容易に調整することができる。
【００３３】
また、板状部材１４０が角度調整部１５０に連結されているため、板状部材１４０が連結された角度調整部１５０を回動することで、板状部材１４０の傾斜角度を直感的に調整することができる。
【００３４】
また、照明部材１６０を、照明部材１６０の光が板状部材１４０で反射可能な位置に配置させることで、照明部材１６０の光を板状部材１４０を介して室内を照らす位置や範囲を変更することができ、例えば、ブラインド１００を設置した床面に光を向けたり、スラット１１０に光を照らしたりできる。照明部材１６０としてフルカラーＬＥＤを使用すれば、スラット１１０を照射する光の色を変更することで、居住者の気分やインテリアに合わせてスラット面の色を変更することができる。また、北側の窓とか梅雨時などで自然光が利用しづらい場合でも、照明部材１６０により安定して室内を光で照らすことができる。
【００３５】
（第２の実施形態）
第２の実施形態に係るブラインド２００の構成について、図４を参照しながら説明する。図４は、本実施形態に係るブラインド２００を説明するための図である。本実施形態のブラインド２００は、板状部材２４０の上方に照明部材２６０を配置した点が第１の実施形態と異なるものである。本実施形態では、上記第１の実施形態と異なる点を中心に説明する。実質的に同一の機能構成を有する構成要素については、同一の符号を付することにより重複説明を省略する。
【００３６】
本実施形態のスラット２１０、ヘッドボックス２２０、バランス２３０、板状部材２４０、角度調整部２５０は、第１の実施形態のスラット１１０、ヘッドボックス１２０、バランス１３０、板状部材１４０、角度調整部１５０に対応するため、説明を省略する。
【００３７】
照明部材２６０は、図４に示したように、バランス２３０の板状部材２４０の上方に取り付けられており、ヘッドボックス２２０を照らす。照明部材２６０をこのように取り付けることにより、角度調整部２５０を操作して回転させ、図中の矢印Ｃに示したように、角度調整部２５０と一体に板状部材２４０を揺動させると、照明部材２６０からの光の向きが、図中の矢印Ｄに示したように、板状部材２４０に反射して上向きに変更される。
【００３８】
（第２の実施形態の効果）
以上説明したように、本実施形態によれば、第１の実施形態と同様な効果を有し、特にブラインド２００を設置した天上面に光を向けたり、スラット２１０に光を照らしたりできる。
【００３９】
（第３の実施形態）
第３の実施形態に係るブラインド３００の構成について、図５を参照しながら説明する。図５は、本実施形態に係るブラインド３００を説明するための図である。本実施形態のブラインド３００は、板状部材３４０を光が透過する点が第２の実施形態と異なるものである。本実施形態では、上記第２の実施形態と異なる点を中心に説明する。実質的に同一の機能構成を有する構成要素については、同一の符号を付することにより重複説明を省略する。
【００４０】
本実施形態のヘッドボックス３２０、バランス３３０、角度調整部３５０、照明部材３６０は、第２の実施形態のヘッドボックス２２０、バランス２３０、角度調整部２５０、照明部材２６０に対応するため、説明を省略する。
【００４１】
板状部材３４０は、光を透過して拡散する部材により構成されている。照明部材３６０は、図５に示したように、第２の実施形態の照明部材２６０と同様にバランス３３０の板状部材３４０の上方に取り付けられており、ヘッドボックス３２０を照らす。角度調整部３５０を操作して回転させ、図中の矢印Ｃに示したように、角度調整部３５０と一体に板状部材３４０を揺動させて、水平状態にすると、照明部材３６０からの光が、図中の矢印Ｅに示したように、板状部材２４０を透過して下向きに拡散される。
【００４２】
（第３の実施形態の効果）
以上説明したように、本実施形態によれば、光を拡散可能な板状部材３４０の傾斜角度を調整することにより照明の光の照射範囲や照射方向を変えたり、室内に入射する昼光の方向を変更したりすることができる。
【００４３】
また、照明部材３６０を、照明部材３６０の光が板状部材３４０で拡散可能な位置に配置させることで、照明部材３６０の光を板状部材３４０を介して室内を照らす位置や範囲を変更することができる。
【００４４】
（第４の実施形態）
第４の実施形態に係るブラインド４００の構成について、図６を参照しながら説明する。図６は、本実施形態に係るブラインド４００を説明するための図である。本実施形態のブラインド４００は、角度調整部４５０を操作する操作部４７０を設けた点が、第１の実施形態のブラインド１００と異なる点である。本実施形態では、上記第１の実施形態と異なる点を中心に説明する。実質的に同一の機能構成を有する構成要素については、同一の符号を付することにより重複説明を省略する。
【００４５】
本実施形態の板状部材４４０、照明部材４６０は、第１の実施形態の板状部材１４０、照明部材１６０に対応するため、説明を省略する。
【００４６】
ブラインド４００は、図６に示したように、角度調整部４５０を操作可能な操作部４７０をさらに備えている。角度調整部４５０と操作部４７０とはラック・アンド・ピニオン機構で構成されている。すなわち、角度調整部４５０は外周に円周方向に歯車が形成されたピニオンギアを構成する。一方、操作部４７０は、平板上に構成され、角度調整部４５０の対面に上下方向に歯４７０ａが付けられたラックギアを構成する。角度調整部４５０と操作部４７０とは噛み合っており、操作部４７０を移動させると角度調整部４５０が回転する。
【００４７】
角度調整部４５０は、支持軸４５４によってバランス４３０の側部に回転可能に支持されている。角度調整部４５０には、第１の実施形態の角度調整部１５０と同様に反射部材により構成された板状部材４４０が取り付けられている。
【００４８】
操作部４７０は、図中の矢印Ｆで示したように、バランス４３０の開口部４３４に上下方向に移動可能に設けられている。操作部４７０の歯４７０ａには、下端がバランス４３０に固定されているストッパ４７２の上端が係合して移動が規制される。ストッパ４７２は、操作部４７０を上下方向に移動させると、弾性変形して歯４７０ａを乗り越えて、隣の歯４７０ａに係合していく。よって、操作部４７０は、開口部４３４の任意の位置に移動させて、その位置で保持することができる。
【００４９】
バランス４３０の開口部４３４は、第１の実施形態の開口部１３４とは異なり下端まで形成されており、操作部４７０の可動範囲が大きくなっている。
【００５０】
以上、ブラインド４００の全体構成について説明した。以下、ブラインド４００の動作について再び図６を参照しながら説明する。操作部４７０を、図中の矢印Ｆで示したように、上下方向に移動させると、角度調整部４５０が回転して、図中の矢印Ａに示したように、角度調整部４５０と一体に板状部材４４０が揺動する。照明部材４６０からの光は、図中の矢印Ｂに示したように、板状部材４４０に反射して下向きに照射される。板状部材４４０が揺動する角度によって反射する光の向きが変更される。
【００５１】
（第４の実施形態の効果）
以上説明したように、本実施形態によれば、操作部４７０を設けることで、操作しにくい位置に角度調整部４５０を設けても、操作部４７０を介して角度調整部４５０を容易に操作することができる。
【００５２】
（第５の実施形態）
第５の実施形態に係るブラインド５００の構成について、図７を参照しながら説明する。図７は、本実施形態に係るブラインド５００を説明するための図である。本実施形態のブラインド５００は、主に、角度調整部５５０の位置、操作部５７０の形状、照明部材５６０の位置が、第４の実施形態のブラインド４００と異なる点である。本実施形態では、上記第４の実施形態と異なる点を中心に説明する。実質的に同一の機能構成を有する構成要素については、同一の符号を付することにより重複説明を省略する。
【００５３】
本実施形態の板状部材５４０、ストッパ５７２は、第４の実施形態の板状部材４４０、ストッパ４７２に対応するため、説明を省略する。
【００５４】
ブラインド５００は、図７に示したように、操作部５７０が第４の実施形態の操作部４７０からバランス５３０の上方まで延びた延長部５７０ｂを備えた構成となっている。延長部５７０ｂのバランス５３０から突出した部分には、角度調整部５５０が噛み合う歯５７０ｃが形成されている。操作部５７０の下方の歯５７０ａには、第４の実施形態の操作部４７０の歯４７０ａと同様にストッパ５７２の上端が係合して移動が規制される。
【００５５】
角度調整部５５０は、バランスブラケット５３２の上方に配置されている。角度調整部５５０は、支持軸５５４によりバランス５３０の側部に回転可能に支持されている。板状部材５４０は、光を透過して拡散する部材により構成されている。板状部材５４０は、図７の矢印Ｇに示したように、水平から上方に揺動する。よって、板状部材５４０を透過する光は、バランスブラケット５３２より上方から前方斜め上方に向かって拡散する。
【００５６】
以上、ブラインド５００の全体構成について説明した。以下、ブラインド５００の動作について再び図７を参照しながら説明する。操作部５７０を、図中の矢印Ｆで示したように、上下方向に移動させると、角度調整部５５０が回転して、図中の矢印Ｇに示したように、角度調整部５５０と一体に板状部材５４０が揺動する。照明部材５６０からの光は、図中の矢印Ｂに示したようにヘッドボックス５２０方向に照射され、板状部材５４０を透過してバランス５３０より上方から前方斜め上方に向かって拡散して照射される。板状部材５４０が揺動する角度によって拡散する光の向きが変更される。
【００５７】
また、日中は、外部からの散乱光又は隣接建物による反射光が、図中の矢印Ｈに示したように、ヘッドボックス５２０と窓枠ＷＦとの間の隙間を通ってヘッドボックス５２０の上方に向かう。散乱光又は反射光は、板状部材５４０を透過してバランス５３０の前方斜め上方に向かって拡散して照射される。このときの板状部材５４０は、水平から上方に傾けた状態である。板状部材５４０が揺動する角度によって拡散する光の向きが変更される。
【００５８】
（第５の実施形態の効果）
以上説明したように、本実施形態によれば、第４の実施形態と同様の効果を有する。
【００５９】
（第６の実施形態）
第６の実施形態に係るブラインド６００の構成について、図８を参照しながら説明する。図８は、本実施形態に係るブラインド６００を説明するための図である。本実施形態のブラインド６００は、バランス６３０に設けられる板状部材６４０の数が、第１の実施形態のブラインド１００と異なる点である。本実施形態では、上記第１の実施形態と異なる点を中心に説明する。実質的に同一の機能構成を有する構成要素については、同一の符号を付することにより重複説明を省略する。
【００６０】
ブラインド６００は、図８に示したように、バランス６３０の前部６３０ａ及び両側部６３０ｂ、６３０ｃに板状部材６４０−１、６４０−２（図において側部６３０ｃに設けられた板状部材は側部６３０ｃによって隠れた位置にあるが、側部６３０ｂに設けられる板状部材６４０−２と同様の構成である。）がそれぞれ設けられている。板状部材６４０−１、６４０−２は、反射部材で構成されている。板状部材６４０−１には、角度調整部６５０が設けられている。
【００６１】
角度調整部６５０には連結ギア６８０が設けられている。連結ギア６８０は、隣り合う板状部材６４０−２の端部に設けられている連結ギア６８２に噛み合っている。連結ギア６８０、６８２としては、例えばベベルギアなどで構成することができる。角度調整部６５０の回転は連結ギア６８０、６８２を介して各板状部材６４０−１、６４０−２を連動させて揺動させる。
【００６２】
各板状部材６４０−１、６４０−２の下方には、照明部材６６０−１、６６０−２が設けられている。角度調整部６５０を回転させると、連結ギア６８０、６８２を介して各板状部材６４０−１、６４０−２が連動して揺動し、照明部材６６０−１、６６０−２の光を反射する。板状部材６４０−１、６４０−２が揺動する角度によって反射する光の向きが変更される。
【００６３】
（第６の実施形態の効果）
以上説明したように、本実施形態によれば、１つの角度調整部６５０を操作するだけで全ての板状部材６４０−１、６４０−２を連結ギア６８０、６８２を介して連動して揺動させることができるため、操作が容易である。
【００６４】
（第７の実施形態）
第７の実施形態に係るブラインド７００の構成について、図９を参照しながら説明する。図９は、本実施形態に係るブラインド７００を説明するための図である。本実施形態のブラインド７００は、板状部材７４０と照明部材７６０の位置が、第１の実施形態のブラインド１００と異なる点である。本実施形態では、上記第１の実施形態と異なる点を中心に説明する。実質的に同一の機能構成を有する構成要素については、同一の符号を付することにより重複説明を省略する。
【００６５】
図９（ａ）は、照明部材７６０がヘッドボックス７２０に設けられており、バランス７３０の方向に光を照射している。板状部材７４０は、照明部材７６０の下方に配置されており、透過部材で構成されている。照明部材７６０からの光は、図中の矢印Ｉに示したように、板状部材７４０を透過して下向きに拡散される。
【００６６】
図９（ｂ）は、照明部材７６０が最上段のスラット７１０に設けられており、バランス７３０の方向に光を照射している。板状部材７４０は、照明部材７６０の下方であり、バランス７３０の下端部近傍に配置されており、透過部材で構成されている。照明部材７６０からの光は、図中の矢印Ｊに示したように、板状部材７４０を透過して下方を中心に拡散される。
【００６７】
図９（ｃ）は、照明部材７６０がバランスブラケット７３２の下面に設けられており、下方に光を照射している。板状部材７４０は、照明部材７６０の下方に配置されており、反射部材で構成されている。照明部材７６０からの光は、図中の矢印Ｋに示したように、板状部材７４０で反射されて上向きに照射される。
【００６８】
図９（ｄ）は、照明部材７６０がブラケット７２２の上部に設けられており、下方に光を照射している。板状部材７４０は、照明部材７６０の下方であり、ヘッドボックス７２０の下部近傍に配置されており、反射部材で構成されている。照明部材７６０からの光は、図中の矢印Ｌに示したように、板状部材７４０で反射されて上向きに照射される。このとき、照明部材７６０からの光はヘッドボックス７２０、バランス７３０及び板状部材７４０で囲まれた空間に照射されるため、ほとんど外部に漏れることなく板状部材７４０で反射される。
【００６９】
図９（ｅ）は、照明部材７６０がブラケット７２２の下端に設けられており、バランス７３０の方向に光を照射している。板状部材７４０は、照明部材７６０の下方であり、ヘッドボックス７２０の下部近傍に配置されており、拡散部材で構成されている。照明部材７６０からの光は、図中の矢印Ｍに示したように、スラット７１０を経てバランス７３０の方向に照射され、板状部材７４０を透過して下方を中心に拡散される。
【００７０】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００７１】
例えば、上記第１の実施形態では、調光部材として平板形状の板状部材１４０を設けたが、本発明はこの例に限定されず、光を反射又は拡散可能な部材であれば、円柱形又は三角柱等、任意の形状とすることができる。第２〜第７の実施形態も同様である。
【００７２】
また、上記第１の実施形態では、板状部材１４０の傾斜角度を調整するための角度調整部１５０を設けたが、本発明はこの例に限定されず、板状部材の角度を調整できれば任意の設計とすることができる。例えば、板状部材を折り曲げ自在な素材で構成し、板状部材自体を折り曲げて傾斜角度を調整するようにしてもよい。この場合、角度調整部１５０のような構成は設けなくてもよい。第２〜第７の実施形態も同様である。
【００７３】
また、上記第１の実施形態では、板状部材１４０は角度調整部１５０に連結される構成としたが、本発明はこの例に限定されず、板状部材は角度調整部に着脱自在としてもよい。このような構成により、例えば、反射部材で構成された板状部材と拡散部材で構成された板状部材を交換することも可能となる。第２〜第７の実施形態も同様である。
【００７４】
また、上記第１の実施形態では、板状部材１４０の傾斜角度は角度調整部１５０の回動に連動している構成としたが、本発明はこの例に限定されず、板状部材の傾斜角度を調整できれば、角度調整部の動作は任意に設計することができる。例えば、角度調整部を上下方向や左右方向に動作させることによって板状部材の傾斜角度を調整するようにしてもよい。第２〜第７の実施形態も同様である。
【００７５】
また、上記第４の実施形態では、操作部４７０はバランス４３０に設けられ、バランス４３０の上下方向に操作することによって角度調整部４５０を操作したが、本発明はこの例に限定されず、角度調整部を操作できれば任意の位置に設けることができ、操作方法及び形状も任意に設計することができる。第５の実施形態も同様である。
【００７６】
上記実施形態、応用例、変形例は、任意に組み合わせて実施することができる。
【符号の説明】
【００７７】
１００、２００、３００、４００、５００  ブラインド
１１０、７１０  スラット（遮蔽材）
１１２  ラダーコード
１１４  ボトムレール
１１６  昇降コード
１２０、２２０、３２０、５２０、７２０  ヘッドボックス（支持部材）
１２２、７２２  ブラケット
１２４  回転軸
１２６  巻取ドラム
１２８  操作ユニット
１２９  操作コード
１３０、２３０、３３０、４３０、５３０、６３０、７３０  バランス
１３２、５３２、７３２  バランスブラケット
１３４、４３４  開口部
１３６  支持部
１４０、２４０、３４０、４４０、５４０、６４０−１、６４０−２、７４０  板状部材（調光部材）
１４２  突部
１５０、２５０、３５０、４５０、５５０、６５０  角度調整部
１５２  嵌合凹部
１５４、４５４、５５４  支持軸
１６０、２６０、３６０、４６０、５６０、６６０−１、６６０−２、７６０  照明部材
４７０、５７０  操作部
４７０ａ、５７０ａ、５７０ｃ  歯
４７２、５７２  ストッパ
５７０ｂ  延長部
６３０ａ  前部
６３０ｂ、６３０ｃ  側部
６８０、６８２  連結ギア
ＷＦ  窓枠
【図１】
2020128682.tif 000003
【図２】
2020128682.tif 000004
【図３】
2020128682.tif 000005
【図４】
2020128682.tif 000006
【図５】
2020128682.tif 000007
【図６】
2020128682.tif 000008
【図７】
2020128682.tif 000009
【図８】
2020128682.tif 000010
【図９】
2020128682.tif 000011